(57)【要約】【課題】ソケットコンタクト内へのピンコンタクトの挿入後の把持力維持のためのバネ性を維持しつつ、ケーブルを、ソケットコンタクト及びピンコンタクトのケーブル圧着部側に挿入して容易に圧着保持することができるようにする。【解決手段】プラグＰとレセプタクルＬ、及び、プラグＰとアダプタの各組合わせで、内蔵のソケットコンタクト８とピンコンタクト２１により接続するコネクタの組付構造であって、前記ソケットコンタクト８と前記ピンコンタクト２１とのバネ性の必要な接続部（８ａ、２１ａ）側をりん青銅で形成し、ケーブルを挿入し圧着保持する前記ソケットコンタクト８と前記ピンコンタクト２１の柔軟性の必要なケーブル圧着部（８ｂ、２１ｂ）側を銅で形成した二体構造としてなるものとする。【選択図】図５
2017062988.tif 000002
【特許請求の範囲】
【請求項１】
プラグとレセプタクル、及び、プラグとアダプタの各組合わせで、内蔵のソケットコンタクトとピンコンタクトにより接続するコネクタの組付構造であって、前記ソケットコンタクトと前記ピンコンタクトとのバネ性の必要な接続部側をりん青銅で形成し、ケーブルを挿入し圧着保持するための、前記ソケットコンタクトと前記ピンコンタクトの柔軟性の必要なケーブル圧着部側を銅で形成した二体構造としてなることを特徴とするコネクタの組付構造。
【請求項２】
前記接続部は、前記ソケットコンタクトにおいて、複数の割り溝を開口部側から長手方向に沿って形成した有底円筒状の割りスリーブによって形成され、前記ソケットコンタクトのケーブル圧着部は有底円筒状に形成され、当該割りスリーブの底部外面側には凸部を備え、当該ケーブル圧着部の一端開口部に前記割りスリーブの凸部を圧入、または、カシメて一体化したものとしてあることを特徴とする請求項１記載のコネクタの組付構造。
【発明の詳細な説明】
【技術分野】
【０００１】
本発明は、プラグとレセプタクル、及び、プラグとアダプタの各組合わせで、内蔵のソケットコンタクトとピンコンタクトにより接続するコネクタの組付構造に関する。
【背景技術】
【０００２】
従来、コネクタは、プラグとレセプタクル、及び、プラグとアダプタの各組合わせで、内蔵のソケットコンタクトとピンコンタクトにより接続するものとなっている。この場合、ソケットコンタクトは、出力側（電源）において絶縁物によって保護されたソケットインサートに組込まれ、一方、ピンコンタクトは、入力側（受電機器）から露出しているピンインサートに組込まれる。このように、ピンコンタクトは電極が露出しているために感電や短絡事故の原因となることから、入力側（受電機器）にピンコンタクトが使用され、電力を供給する出力側（電源）にソケットコンタクトが使用されているのが通例である。
【０００３】
ところで、前記ソケットコンタクト及びピンコンタクトは、ともに金属製板ばねをプレスにより打ち抜いて製作、または、丸棒からの切削により製作され、ケーブルワイヤは、ソケットコンタクト及びピンコンタクトにカシメや半田付け等の手段で固定される。また、ソケットコンタクト内へのピンコンタクトの挿入時の把持力を維持する特性上、バネ性を必要とするため、前記コンタクト全体の金属材料としては例えばりん青銅等の硬質な合金材料を使用している。
【０００４】
具体的には、図７（ａ）、図７（ｂ）、図７（ｃ）、図７（ｄ）に示すように、従来のソケットコンタクト３１は、ピンコンタクトのピン頭部側を挿入して電気接続するための、複数（図示例では、周側面の９０度等間隔位置で合計４箇所）の割り溝３２を有してなる割りスリーブ３１ａと、ケーブルを挿入して半田付けするためのケーブル開口部３１ｂとが略中間のフランジ部３１ｃを介して一体形成されている。この場合、ソケットコンタクト３１とピンコンタクトとの接続部におけるバネ性の維持、すなわちソケットコンタクト３１内へのピンコンタクトの挿入後の把持力維持のために、割りスリーブ３１ａに対しバネ性を付与する必要があることから、従来では前記割りスリーブ３１ａ、フランジ部３１ｃ、ケーブル圧着部３１ｂを含むソケットコンタクト３１全体をりん青銅等の硬質な合金材料により一体構造となって形成されている。
【０００５】
また、従来においては、特許文献１に示すコネクタなる技術が公知である。すなわち、このコネクタにおいて、ソケットコンタクトとピンコンタクトには、ともにケーブルを挿入し圧着して保持するためのケーブル圧着部が設けられている。そして、ピンコンタクト及びソケットコンタクトとピンクリップおよびソケットクリップとの挿入および分離作業においては、絶縁部材の外部に突出した前記ケーブル圧着部を持って行うことができるものとしている。
【先行技術文献】
【特許文献】
【０００６】
【特許文献１】特開平７−１３５０４１号公報
【発明の概要】
【発明が解決しようとする課題】
【０００７】
しかしながら、従来のように、りん青銅等の硬質な合金材料により一体構造となしたソケットコンタクト及びピンコンタクトにおいて、特許文献１に示すワイヤ圧着部のような圧着方式とした場合、前記両コンタクト自体が硬質であるがために、市販の圧着工具、例えば裸圧着端子またはスリーブ用の手動片手式内線工具等では、ケーブルを挿入した前記ケーブル圧着部をカシメることは非常に困難である。
【０００８】
そこで、本発明は、叙上のような従来存した諸事情に鑑み案出されたもので、ソケットコンタクトとピンコンタクトとの接続部におけるバネ性の維持、すなわちソケットコンタクト内へのピンコンタクトの挿入後の把持力維持のためのバネ性を維持しつつも、ケーブルを、ソケットコンタクト及びピンコンタクトのケーブル圧着部側に挿入して市販の圧着工具を使って容易にカシメ保持することができるコネクタの組付構造を提供することを目的とする。
【課題を解決するための手段】
【０００９】
上述した課題を解決するために、本発明にあっては、プラグとレセプタクル、及び、プラグとアダプタの各組合わせで、内蔵のソケットコンタクトとピンコンタクトにより接続するコネクタの組付構造であって、前記ソケットコンタクトと前記ピンコンタクトとのバネ性の必要な接続部側をりん青銅で形成し、ケーブルを挿入し圧着保持するための、前記ソケットコンタクトと前記ピンコンタクトの柔軟性の必要なケーブル圧着部側を銅で形成した二体構造としてなることを特徴とする。
【００１０】
前記接続部は、前記ソケットコンタクトにおいて、複数の割り溝を開口部側から長手方向に沿って形成した有底円筒状の割りスリーブによって形成され、前記ソケットコンタクトのケーブル圧着部は円筒状に形成され、当該割りスリーブの底部外面側には凸部を備え、当該ケーブル圧着部の一端開口部に前記割りスリーブの凸部を圧入、または、カシメて一体化したものとしてあることを特徴とする。
【発明の効果】
【００１１】
本発明によれば、ソケットコンタクトとピンコンタクトとの接続部におけるバネ性の維持、すなわちソケットコンタクト内へのピンコンタクトの挿入後の把持力維持のためのバネ性を維持しつつも、ケーブルを、ソケットコンタクト及びピンコンタクトのケーブル圧着部側に挿入して市販の圧着工具を使って容易にカシメ保持することができる。
【００１２】
すなわち、本発明によれば、ソケットコンタクトとピンコンタクトとのバネ性の必要な接続部側をりん青銅で形成し、ケーブルを挿入し圧着保持するための、前記ソケットコンタクトと前記ピンコンタクトの柔軟性の必要なケーブル圧着部側を銅で形成した二体構造としてなるので、ソケットコンタクト内へのピンコンタクトの挿入後の把持力が確実に維持され、またソケットコンタクト及びピンコンタクトのケーブル圧着部側に挿入されたケーブルを市販の圧着工具を使って容易にカシメ固定することができる。
【００１３】
また、前記接続部は、前記ソケットコンタクトにおいて、複数の割り溝を開口部側から長手方向に沿って形成した有底円筒状の割りスリーブによって形成され、前記ソケットコンタクトのケーブル圧着部は円筒状に形成され、当該割りスリーブの底部外面側には凸部を備え、当該ケーブル圧着部の一端開口部に前記割りスリーブの凸部を圧入、または、カシメて一体化したので、ケーブル挿入後の把持力が確実に維持されるとともに、ケーブル圧着部側に挿入されたケーブルを市販の圧着工具を使って容易にカシメ固定することができる二体構造によるソケットコンタクトを低コストで且つ簡単な組付け作業によって製造することができる。また、ソケットコンタクトからのピンコンタクトの抜脱後には、割りスリーブの拡開された割り溝は元の状態に容易に復帰でき、次回の接続においてソケットコンタクト内にピンコンタクトを挿入した際のガタツキ等の発生を確実に防止することができる。
【図面の簡単な説明】
【００１４】
【図１】本発明を実施するための一形態におけるプラグの外観を示すもので、（ａ）は平面図、（ｂ）は側面図、（ｃ）は正面図、（ｄ）は背面図である。
【図２】同じくプラグの構造を示す半断面図である。
【図３】二体構造によるソケットコンタクトの組立後の状態を示し、（ａ）は平面図、（ｂ）は半断面図、（ｃ）は正面図、（ｄ）は背面図、（ｅ）は割りスリーブをカシメた状態の平面図、（ｆ）は（ｅ）の背面図である。
【図４】二体構造によるソケットコンタクトの組立手順を示すもので、（ａ）は銅製のケーブル圧着部にりん青銅製の割りスリーブを嵌め込む状態の斜視図、（ｂ）は同じく嵌め込み後の状態の斜視図、（ｃ）はケーブルを挿入したケーブル圧着部をカシメている状態の側面図、（ｄ）はプラグのフロントソケットインシュレータに外側からソケットコンタクトを装着する状態の斜視図である。
【図５】レセプタクルの組立後の状態を示し、（ａ）は半断面図、（ｂ）は正面図、（ｃ）は背面図である。
【図６】レセプタクルとプラグの使用状態を示すもので、（ａ）はレセプタクルにプラグを接続する前の状態の断面図、（ｂ）はレセプタクルにプラグを接続した後の状態の断面図である。
【図７】従来例におけるプラグに使用される一体構造によるソケットコンタクトの一例を示し、（ａ）は平面図、（ｂ）は半断面図、（ｃ）は正面図、（ｄ）は背面図、（ｅ）は割りスリーブをカシメた状態の平面図、（ｆ）は（ｅ）の背面図である。
【発明を実施するための形態】
【００１５】
以下、図面を参照して本発明に係るコネクタの組付構造の実施の一形態を詳細に説明する。
なお、以下の実施形態においては、プラグＰとレセプタクルＬとの組合せによるコネクタについて説明しているが、プラグＰとアダプタ（図示せず）との組合せによるコネクタについても本発明のソケットコンタクト及びピンコンタクトの組付構造が適用できることは勿論である。
【００１６】
本実施形態のコネクタは、プラグＰと、このプラグＰに接続するレセプタクルＬとを備えている。プラグＰは、図１（ａ）、図１（ｂ）、図１（ｃ）、図１（ｄ）、及び図２に示すように、円筒状のプラグフレーム１０の前端開口縁部内側に円筒状のバレル２の後端開口側縁部がパッキン７を介して係止され、外側から六角穴付き止めねじ９をねじ込むことにより当該バレル２の後端開口側縁部が固定され、さらにバレル２の外周にはパッキン３を介してカップリングナット４が覆設されてなる。このカップリングナット４内周面と前記バレル２外周面との間には若干の隙間が形成されており、後述するレセプタクルＬにプラグＰが接続されると当該レセプタクルＬのシェル２６前端部側が当該隙間に挿入される（後述する図６（ｂ）参照）。
【００１７】
また、前記バレル２の内側には、前側に合成樹脂製のフロントソケットインシュレータ１が、後側に合成樹脂製のリアソケットインシュレータ５が、ともに前後で重なるようにして嵌め込まれている。なお、図２中符号６は、前記バレル２とリアソケットインシュレータ５との間に介装させたスプリングである。前記フロントソケットインシュレータ１とリアソケットインシュレータ５とには、これらを互いに貫通するように４個の挿入孔１ａ、１ｂ、１ｃ、１ｄが穿設されており（図１（ｃ）参照）、図２に示すように、これら各挿入孔１ａ、１ｂ、１ｃ、１ｄには後述するピンコンタクト２１の接続部であるソケットコンタクト８の割りスリーブ８ａ（抜け止め部材８ｅとケーブル圧着部８ｂの一部とを含む）が嵌合される。
【００１８】
前記プラグフレーム１０の後端開口側には、その外周縁部後端にワッシャ１３を介して、円筒状のケーブルクランプ１１が当該プラグフレーム１０の後端開口側を覆うようにして嵌め込まれ、外側から六角穴付き止めねじ９をねじ込むことにより当該ケーブルクランプ１１自体は前記プラグフレーム１０に固定されている。また、プラグフレーム１０の後端開口側からはゴムブッシング１２が嵌挿され、ゴムブッシング１２の前端外周の傾斜面１２ａとプラグフレーム１０の後端開口側内周の傾斜面１０ａとが圧接しつつ、当該ゴムブッシング１２自体はプラグフレーム１０とケーブルクランプ１１とによって挟持されている。
【００１９】
また、図１（ａ）、図１（ｂ）、図１（ｄ）、図２に示すように、前記ケーブルクランプ１１の後端部は小径筒状の延長部分１１ａが設けられ、かつこの延長部分１１ａの略半分（図２中の上半分）が切欠されており、当該延長部分１１ａと前記ゴムブッシング１２とに跨って、なべ小ねじ１４により締結される上下一対の半月状枠部によって形成されたクランプ１５が取付けられている（後述する図６も参照）。
【００２０】
次に、ソケットコンタクト８の構成について、図３及び図４に基づき詳細に説明すると、このソケットコンタクト８は、前記ピンコンタクト２１の接続部である有底筒状の割りスリーブ８ａと、ケーブルＫを把持固定するケーブル圧着部８ｂとの二体構造となっている。このうち割りスリーブ８ａは、硬質な合金材料であるりん青銅によって形成され、その一端開口側から長手方向に沿って周囲４箇所の割り溝８ｆを形成することで自体にバネ性を付与してある。また、この割りスリーブ８ａの他端側には係止段部８２を介して小径円柱状の凸部８ｃが突設されている。一方、前記ケーブル圧着部８ｂは、柔軟性のある金属である銅によって形成され、かつ前記割りスリーブ８ａと同じ内径を有する筒状に形成されている。
【００２１】
そして、図３（ｂ）、図４（ａ）、図４（ｂ）に示すように、前記ケーブル圧着部８ｂの略中央の段差を介して若干小さな内径となった一端開口部８ｄ側から内側に前記割りスリーブ８ａの凸部８ｃが嵌合（圧入）するとともに、さらに必要に応じて嵌合箇所を溶接等することで、互いに硬さの異なる異種金属で形成された割りスリーブ８ａとケーブル圧着部８ｂとが一体化される。なお、ケーブル圧着部８ｂの略中間には切欠部８１が設けられ、かつその隣には係止段部８３が形成されている。
【００２２】
図４（ｃ）に示すように、前記ケーブル圧着部８ｂにはケーブルＫが挿入され、市販の圧着工具、例えば裸圧着端子またはスリーブ用の手動片手式内線工具等で、銅製のケーブル圧着部８ｂをカシメることで、当該ケーブル圧着部８ｂにケーブルＫが固定される。このとき、前記切欠部８１からケーブルＫの芯線部分が露出している。また、図４（ｃ）に示すように、両係止段部８２と８３との間には（図中では係止段部８２寄り）、略スカート状のＣリングによる抜け止め部材８ｅが嵌め込まれる。
【００２３】
そして、図４（ｄ）に示すように、前記バレル２の後方側からリアソケットインシュレータ５の各挿入孔１ａ、１ｂ、１ｃ、１ｄに、前記ソケットコンタクト８の割りスリーブ８ａ側を挿入する。このとき、図２及び図６（ａ）、図６（ｂ）に示すように、各挿入孔１ａ、１ｂ、１ｃ、１ｄにおいて、前記抜け止め部材８ｅがフロントソケットインシュレータ１の後端部によって把持され、前記係止段部８３がリアソケットインシュレータ５の後端部によって係止される。
【００２４】
次に、前記レセプタクルＬ及びピンコンタクト２１の構成について、図５及び図６に基づき詳細に説明すると、このレセプタクルＬは、図５に示すように、筒状に形成されたシェル２６の外周壁面略中央には、入力側機器（図示省略）にパッキン２５を介して取り付けるための角板状の取付フランジ２７が形成されている。また、前記シェル２６の内側には、ともに合成樹脂製であるリアピンインシュレータ２３とフロントピンインシュレータ２４とが互いに前後で接合された状態となって嵌め込まれている。これらリアピンインシュレータ２３とフロントピンインシュレータ２４とには互いを貫通するように、４個の挿入孔２８ａ、２８ｂ、２８ｃ、２８ｄが穿設されており、これら各挿入孔２８ａ、２８ｂ、２８ｃ、２８ｄには、前記ソケットコンタクト８に対応するピンコンタクト２１が嵌合される。なお、図中、符号２２は、前記シェル２６とリアピンインシュレータ２３との間に介装させたスプリングである。
【００２５】
前記ピンコンタクト２１は、図５（ａ）及び図６（ａ）、図６（ｂ）に示すように、前記ソケットコンタクト８の割りスリーブ８ａに挿入される円柱状（丸棒状）の嵌合用端子部２１ａと、ケーブルＫが挿入されて半田付けによって固定するための有底円筒状のケーブル開口部２１ｂと、両者の間に形成された一対の係止段部２１ｃ、２１ｄとによって構成されている。このうち、係止段部２１ｃはリアピンインシュレータ２３によって係止され、係止段部２１ｄはフロントピンインシュレータ２４によって係止されている。
【００２６】
また、前記ピンコンタクト２１自体は銅製の一体構造となしてあり、ケーブル開口部２１ｂにはケーブルＫが挿入され、半田付けされることで、当該ケーブル開口部２１ｂにケーブルＫが固定される。
【００２７】
次に、以上のように構成された形態についての使用の一例について説明すると、図６（ａ）及び図６（ｂ）に示すように、レセプタクルＬにプラグＰが装着されると、前記カップリングナット４内周面と前記バレル２外周面との間の隙間に、レセプタクルＬのシェル２６前端部側が挿入されると同時に、ピンコンタクト２１の嵌合用端子部２１ａがソケットコンタクト８の割りスリーブ８ａに嵌合する。このとき、嵌合用端子部２１ａは割りスリーブ８ａの割り溝８ｆを押し広げつつ挿入されるのであるが、りん青銅製の割りスリーブ８ａ自体はバネ性を有していることから、割りスリーブ８ａ内への嵌合用端子部２１ａの挿入後の把持力が確実に維持され、しかも、割りスリーブ８ａからの嵌合用端子部２１ａの抜脱後には、拡開された割り溝８ｆは元の状態に復帰でき、次回の接続において割りスリーブ８ａ内に嵌合用端子部２１ａを挿入した際のガタツキ等の発生を確実に防止することができる。
【符号の説明】
【００２８】
Ｐ                              プラグ
Ｌ                              レセプタクル
１                              フロントソケットインシュレータ
１ａ、１ｂ、１ｃ、１ｄ          挿入孔
２                              バレル
３                              パッキン
４                              カップリングナット
５                              リアソケットインシュレータ
６                              スプリング
７                              パッキン
８                              ソケットコンタクト
８ａ                            割りスリーブ（接続部）
８ｂ                            ケーブル圧着部
８ｃ                            凸部
８ｄ                            一端開口部
８ｅ                            抜け止め部材
８ｆ                            割り溝
８１                            切欠部
８２                            係止段部
８３                            係止段部
９                              六角穴付き止めねじ
１０                            プラグフレーム
１０ａ                          傾斜面
１１                            ケーブルクランプ
１１ａ                          延長部分
１２                            ゴムブッシング
１２ａ                          傾斜面
１３                            ワッシャ
１４                            なべ小ねじ
１５                            クランプ
２１                            ピンコンタクト
２１ａ                          嵌合用端子部（接続部）
２１ｂ                          ケーブル開口部
２１ｃ                          係止段部
２１ｄ                          係止段部
２２                            スプリング
２３                            リアピンインシュレータ
２４                            フロントピンインシュレータ
２５                            パッキン
２６                            シェル
２７                            取付フランジ
２８ａ、２８ｂ、２８ｃ、２８ｄ  挿入孔
３１                            ソケットコンタクト
３２                            割り溝
３１ａ                          割りスリーブ
３１ｂ                          ケーブル開口部
３１ｃ                          フランジ部
８１                            切欠部
８２                            係止段部
８３                            係止段部
【図１】
2017062988.tif 000003
【図２】
2017062988.tif 000004
【図３】
2017062988.tif 000005
【図４】
2017062988.tif 000006
【図５】
2017062988.tif 000007
【図６】
2017062988.tif 000008
【図７】
2017062988.tif 000009